(57)【要約】【課題】  各本体の表裏関係を一定にしたまま折り畳むことができる携帯電話１において、各本体間の回転方向を自由に設定することができるようにする。【解決手段】  第一本体に対して上下への移動が可能に取り付けられ、第一本体の回転と共に回転する第一回転規制部材３２２ａ、３２２ｂと、第二本体に固定された第二回転規制部材３３２とを有し、第一本体および第二本体が重なった状態において、第一回転規制部材３２２ａが押し下げられた際に、第二回転規制部材３３２と接触するので、第一本体に取り付けられた第一回転板３２０は反時計回りにのみ回転する。このように、第一回転規制部材３２２ａ、３２２ｂの押し下げにより、第一本体の回転方向を設定できる。【選択図】  図５
2005236401.tif 000002
【特許請求の範囲】
【請求項１】
第一本体と、
第二本体と、
前記第一本体および前記第二本体を、各々の表裏関係が一定の状態で回転できるように接続する接続手段と、
前記第一本体および前記第二本体の間の相対的な回転の方向を設定する回転方向設定手段と、
を備えた携帯通信端末。
【請求項２】
請求項１に記載の携帯通信端末であって、
前記回転方向設定手段は、前記第一本体および前記第二本体が重なった状態から、
（１）前記第一本体が前記第二本体に対して時計回りにのみ回転する、または
（２）前記第一本体が前記第二本体に対して反時計回りにのみ回転する、または
（３）前記第一本体が前記第二本体に対して時計回りおよび反時計回りのいずれにも回転する、
ように相対的な回転の方向を設定する、
携帯通信端末。
【請求項３】
請求項２に記載の携帯通信端末であって、
前記回転方向設定手段は、
前記第一本体に対してほぼ垂直な方向に移動が可能に取り付けられ、前記第一本体の回転と共に回転する第一回転規制部材と、
前記第二本体に固定された第二回転規制部材と、
を有し、
前記第一本体および前記第二本体が重なった状態において、前記第一回転規制部材が前記第二本体に向けて移動した際に、前記第二回転規制部材と接触する、
携帯通信端末。
【請求項４】
請求項３に記載の携帯通信端末であって、
前記第一回転規制部材は、手動により、前記第二本体に向けて移動する、
携帯通信端末。
【請求項５】
請求項３に記載の携帯通信端末であって、
前記第一回転規制部材は、磁力により、前記第二本体に向けて移動する、
携帯通信端末。
【請求項６】
請求項１ないし５のいずれか一項に記載の携帯通信端末であって、
前記回転方向設定手段により設定された回転の方向を検出する回転方向検出手段、
を備えた携帯通信端末。
【請求項７】
請求項６に記載の携帯通信端末であって、
情報処理を行なう情報処理手段と、
前記回転方向検出手段の検出結果に応じて、前記情報処理手段に情報処理を遂行させる情報処理制御手段と、
を備えた携帯通信端末。
【請求項８】
第一本体と、第二本体と、前記第一本体および前記第二本体を、各々の表裏関係が一定の状態で回転できるように接続する接続手段と、前記第一本体および前記第二本体の間の相対的な回転の方向を設定する回転方向設定手段と、前記回転方向設定手段により設定された回転の方向を検出する回転方向検出手段と、情報処理を行なう情報処理手段とを有する携帯通信端末における処理をコンピュータに実行させるためのプログラムであって、
前記回転方向検出手段の検出結果に応じて、前記情報処理手段に情報処理を遂行させる情報処理制御処理、
をコンピュータに実行させるためのプログラム。
【請求項９】
第一本体と、第二本体と、前記第一本体および前記第二本体を、各々の表裏関係が一定の状態で回転できるように接続する接続手段と、前記第一本体および前記第二本体の間の相対的な回転の方向を設定する回転方向設定手段と、前記回転方向設定手段により設定された回転の方向を検出する回転方向検出手段と、情報処理を行なう情報処理手段とを有する携帯通信端末における処理をコンピュータに実行させるためのプログラムを記録したコンピュータによって読み取り可能な記録媒体であって、
前記回転方向検出手段の検出結果に応じて、前記情報処理手段に情報処理を遂行させる情報処理制御処理、
をコンピュータに実行させるためのプログラムを記録したコンピュータによって読み取り可能な記録媒体。
【発明の詳細な説明】
【技術分野】
【０００１】
本発明は、各本体の表裏関係を一定にしたまま折り畳むことができる携帯通信端末に関する。
【背景技術】
【０００２】
従来より、携帯通信端末の一種である折り畳み式の携帯電話が用いられている。このような携帯電話においては、各本体の表裏関係を一定にしたまま折り畳むことができるもの（例えば、特許文献１の要約参照）がある。
【０００３】
【特許文献１】特開２００２−１３５３８０号公報
【発明の開示】
【発明が解決しようとする課題】
【０００４】
しかしながら、上記のような携帯電話においては、ある本体が他の本体に、どのような方向にどれだけ回転できるかを自由に設定することができない。
【０００５】
そこで、本発明は、各本体の表裏関係を一定にしたまま折り畳むことができる携帯通信端末において、各本体間の回転方向を自由に設定することができるようにすることを課題とする。
【課題を解決するための手段】
【０００６】
本発明は携帯通信端末に関する。本発明に係る携帯通信端末は、第一本体、第二本体、接続手段、回転方向設定手段を備える。
【０００７】
接続手段は、第一本体および第二本体を、各々の表裏関係が一定の状態で回転できるように接続する。回転方向設定手段は、第一本体および第二本体の間の相対的な回転の方向を設定する。
【０００８】
なお、回転方向設定手段は、第一本体および第二本体が重なった状態から、
（１）第一本体が第二本体に対して時計回りにのみ回転する、または
（２）第一本体が第二本体に対して反時計回りにのみ回転する、または
（３）第一本体が第二本体に対して時計回りおよび反時計回りのいずれにも回転する、
ように相対的な回転の方向を設定するようにすることが好ましい。
【０００９】
さらに、回転方向設定手段は、第一回転規制部材および第二回転規制部材を有するようにしてもよい。第一回転規制部材は、第一本体に対してほぼ垂直な方向に移動が可能に取り付けられ、第一本体の回転と共に回転する。第二回転規制部材は、第二本体に固定されている。ここで、第一本体および第二本体が重なった状態において、第一回転規制部材が第二本体に向けて移動した際に、第二回転規制部材と接触するものとする。
【００１０】
ここで、第一回転規制部材は、手動または磁力により、第二本体に向けて移動するようにすることが好ましい。
【００１１】
さらに、本発明に係る携帯通信端末は、回転方向設定手段により設定された回転の方向を検出する回転方向検出手段を備えるようにするとよい。
【００１２】
さらに、本発明に係る携帯通信端末は、情報処理手段および情報処理制御手段を備えるようにするとよい。
【００１３】
情報処理手段は、情報処理を行なう。情報処理制御手段は、回転方向検出手段の検出結果に応じて、情報処理手段に情報処理を遂行させる。
【発明を実施するための最良の形態】
【００１４】
以下、本発明の実施形態を図面を参照しながら説明する。
【００１５】
図１は、本発明の実施形態にかかる携帯電話（携帯通信端末）１を開いた場合の平面図である。図２は、本発明の実施形態にかかる携帯電話（携帯通信端末）１を閉じた場合の平面図である。図３は、本発明の実施形態にかかる携帯電話（携帯通信端末）１を閉じた場合の断面図（図２におけるIII−III断面）である。
【００１６】
本発明の実施形態にかかる携帯電話１は、第一本体１００、第二本体２００、回転軸（接続手段）３１０、第一回転板３２０、第二回転板３３０を備える。
【００１７】
第一本体１００は、表面にディスプレイ１２０を有する。ディスプレイ１２０は、携帯電話１による情報処理の結果などを表示する。
【００１８】
第二本体２００は、その表面に入力用キー２１０を有する。入力用キー２１０は、携帯電話１に情報を入力するためのものである。例えば、いわゆるテンキーなどである。
【００１９】
回転軸（接続手段）３１０は、第一本体１００および第二本体２００を回転できるように接続する。具体的には、第一本体１００を回転軸３１０を中心にして、時計回り（図２における実線矢印の方向）あるいは反時計回り（図２における点線矢印の方向）に回すことができる。なお、第一本体１００を回転軸３１０を中心にして回転させても、第一本体１００および第二本体２００は裏返ったりしない。例えば、ディスプレイ１２０は、第一本体１００を回転させても表側に位置したままである（図１、２参照）。すなわち、回転軸３１０は、回転の際に第一本体１００および第二本体２００の表裏関係が一定に保たれるようにしている。
【００２０】
回転軸３１０は、図３に示すように、部分的に第一本体１００および第二本体２００に埋めこまれている。
【００２１】
第一回転板３２０は、第一本体１００に固定されている。第一本体１００が回転軸３１０を中心に回転すれば、第一回転板３２０もまた回転軸３１０を中心に回転する。
【００２２】
第二回転板３３０は、第一回転板３２０と同様な形状であり、第二本体２００に固定されている。第一本体１００が回転軸３１０を中心に回転すれば、第二回転板３３０は回転軸３１０を中心に、第一本体１００に対して相対的に回転する。
【００２３】
図４〜６に示すように、携帯電話１は、回転軸３１０、第一回転板３２０、第二回転板３３０に加えてさらに、回転軸３１０の付近に、第一回転規制部材３２２ａ、３２２ｂ、第二回転規制部材３３２、スイッチ３３４ａ、３３４ｂ、電源３３６ａ、３３６ｂを有する。
【００２４】
なお、第一回転規制部材３２２ａ、３２２ｂ（図２、図３参照）を第一本体１００を介して、携帯電話１の利用者が押し下げることができる。
【００２５】
図４は、携帯電話１の回転軸３１０付近の平面図（図４（ａ））、正面図（図４（ｂ））である（第一回転規制部材３２２ａ、３２２ｂの双方とも押し下げられていない場合）。図５は、携帯電話１の回転軸３１０付近の平面図（図５（ａ））、正面図（図５（ｂ））である（第一回転規制部材３２２ａが押し下げられている場合）。図６は、携帯電話１の回転軸３１０付近の平面図（図６（ａ））、正面図（図６（ｂ））である（第一回転規制部材３２２ｂが押し下げられている場合）。なお、図４〜６においては、第一本体１００および第二本体２００が重なっている（携帯電話１が閉じている（図２参照））ときの状態を図示している。
【００２６】
第一回転規制部材３２２ａ、３２２ｂは、第一回転板３２０に対して、上下への移動が可能なように（すなわち、第二本体２００から離れ、あるいは第二本体２００に向けて移動可能なように）、第一回転板３２０の周辺に取りつけられている。第一本体１００が回転軸３１０を中心に回転すれば、第一回転板３２０もまた回転軸３１０を中心に回転し、第一回転規制部材３２２ａ、３２２ｂも第一回転板３２０と共に回転する。
【００２７】
第二回転規制部材３３２は、第二回転板３３０に固定されている。
【００２８】
なお、第一本体１００および第二本体２００が重なっている状態で、第一回転規制部材３２２ａを押し下げると、図５に示すように、第二回転規制部材３３２と接し、第一回転規制部材３２２ｂを押し下げると、図６に示すように、第二回転規制部材３３２と接する。
【００２９】
図４に示すような状態では、第一本体１００は時計回りにも反時計回りにも回転することができる。
【００３０】
図５に示すような状態では、第一本体１００は反時計回りに回転することができるが、時計回りに回転することはできない。時計回りに回転しようとした場合は、第一回転規制部材３２２ａが第二回転規制部材３３２にぶつかってしまうからである。
【００３１】
図６に示すような状態では、第一本体１００は時計回りに回転することができるが、反時計回りに回転することはできない。反時計回りに回転しようとした場合は、第一回転規制部材３２２ｂが第二回転規制部材３３２にぶつかってしまうからである。
【００３２】
スイッチ３３４ａは、第一回転規制部材３２２ａを押し下げた場合、第一回転規制部材３２２ａにより押されてＯＮになる機械式のスイッチである。スイッチ３３４ｂは、第一回転規制部材３２２ｂを押し下げた場合、第一回転規制部材３２２ｂにより押されてＯＮになる機械式のスイッチである。なお、スイッチ３３４ａ、３３４ｂの双方とも、押されなければＯＦＦである。
【００３３】
電源３３６ａは、スイッチ３３４ａに接続され、スイッチ３３４ａがＯＮになると、スイッチ３３４ａに電流を流す。電流の流れる／流れない（ＯＮ／ＯＦＦ）は、後述する回転方向検出部１２に与えられる。電源３３６ｂは、スイッチ３３４ｂに接続され、スイッチ３３４ｂがＯＮになると、スイッチ３３４ｂに電流を流す。電流の流れる／流れない（ＯＮ／ＯＦＦ）は、後述する回転方向検出部１２に与えられる。
【００３４】
図７は、携帯電話１の構成を示す機能ブロック図である。携帯電話１は、回転方向設定部１０、回転方向検出部１２、情報処理制御部２０、情報処理部３０、日本語アプリケーション記録部４２、英語アプリケーション記録部４４、仕事用アドレス記録部４６、私用アドレス記録部４８、ディスプレイ１２０、入力用キー２１０を備える。
【００３５】
ディスプレイ１２０および入力用キー２１０は、先に説明した通りである。
【００３６】
回転方向設定部１０は、第一本体１００および第二本体２００の間の相対的な回転の方向を設定する。回転方向設定部１０は、第一回転板３２０、第二回転板３３０、第一回転規制部材３２２ａ、３２２ｂ、第二回転規制部材３３２、スイッチ３３４ａ、３３４ｂおよび電源３３６ａ、３３６ｂにより構成される。
【００３７】
回転方向設定部１０は、第一本体１００および第二本体２００が重なった状態（図２参照）から、
（１）第一本体１００が第二本体２００に対して時計回りにのみ回転する（図６参照）、
または
（２）第一本体１００が第二本体２００に対して反時計回りにのみ回転する（図５参照）、
または
（３）第一本体１００が第二本体２００に対して時計回りおよび反時計回りのいずれにも回転する（図４参照）、
ように相対的な回転の方向を設定する。
【００３８】
回転方向検出部１２は、回転方向設定部１０により設定された回転の方向を検出する。具体的には、スイッチ３３４ａ、３３４ｂのＯＮ／ＯＦＦを回転方向設定部１０から取得して、設定された回転の方向を検出する。スイッチ３３４ａがＯＮならば反時計回り、スイッチ３３４ｂがＯＮならば時計回り、スイッチ３３４ａおよび３３４ｂの双方がＯＦＦならば時計回りおよび反時計回りの双方であることを検出する。
【００３９】
日本語アプリケーション記録部４２は、日本語が使用できるアプリケーションソフトウェアを記録する。
【００４０】
英語アプリケーション記録部４４は、英語が使用できるアプリケーションソフトウェアを記録する。
【００４１】
仕事用アドレス記録部４６は、携帯電話１の利用者が仕事を行なう場合に、電子メールをやりとりする相手の電子メールのアドレスを記録する。
【００４２】
私用アドレス記録部４８は、携帯電話１の利用者が私用で携帯電話１を使用する場合に、電子メールをやりとりする相手の電子メールのアドレスを記録する。
【００４３】
情報処理部３０は、情報処理を行なう。情報処理部３０は、日本語アプリケーション記録部４２あるいは英語アプリケーション記録部４４から（アプリケーション）プログラムを読み出して実行する。また、仕事用アドレス記録部４６あるいは私用アドレス記録部４８からアドレスを読み出して、ディスプレイ１２０に表示させる。
【００４４】
情報処理制御部２０は、回転方向検出部１２の検出結果に応じて、情報処理部３０に情報処理を遂行させる。具体的には、下記の表に示すように、情報処理を遂行させる。
【００４５】
【表１】
2005236401.tif 000003
すなわち、第一本体１００が第二本体２００に対して時計回りおよび反時計回りの双方に回転するならば、英語アプリケーション記録部４４から（アプリケーション）プログラムを読み出して実行する。また、仕事用アドレス記録部４６および私用アドレス記録部４８のいずれからもアドレスを読み出さない。
【００４６】
第一本体１００が第二本体２００に対して時計回りにのみ回転するならば、日本語アプリケーション記録部４２から（アプリケーション）プログラムを読み出して実行する。また、仕事用アドレス記録部４６からアドレスを読み出して表示させる。
【００４７】
第一本体１００が第二本体２００に対して反時計回りにのみ回転するならば、日本語アプリケーション記録部４２から（アプリケーション）プログラムを読み出して実行する。また、私用アドレス記録部４８からアドレスを読み出して表示させる。
【００４８】
次に、本発明の実施形態の動作を説明する。
【００４９】
まず、携帯電話１を閉じておく（図２参照）。
【００５０】
そして、携帯電話１を閉じた状態から、携帯電話１の利用者が第一回転規制部材３２２ａを第一本体１００を介して押し下げる。すると、図５に示すように、第一回転規制部材３２２ａが第二回転規制部材３３２と接するので、第一本体１００は反時計回りに回転することができるが、時計回りに回転することはできない。
【００５１】
このとき、スイッチ３３４ａは、第一回転規制部材３２２ａにより押されてＯＮになる。よって、電源３３６ａからの電流がスイッチ３３４ａに流れる。これにより、回転方向検出部１２は、スイッチ３３４ａがＯＮであることを検出し、第一本体１００は反時計回りに回転することを検出する。
【００５２】
この検出結果は、情報処理制御部２０に与えられる。情報処理制御部２０は、この検出結果に基づき（表１参照）、情報処理部３０に情報処理を遂行させる。情報処理部３０は、日本語アプリケーション記録部４２から（アプリケーション）プログラムを読み出して実行する。また、私用アドレス記録部４８からアドレスを読み出して表示させる。
【００５３】
また、携帯電話１を閉じた状態から、携帯電話１の利用者が第一回転規制部材３２２ｂを第一本体１００を介して押し下げる。すると、図６に示すように、第一回転規制部材３２２ｂが第二回転規制部材３３２と接するので、第一本体１００は時計回りに回転することができるが、反時計回りに回転することはできない。
【００５４】
このとき、スイッチ３３４ｂは、第一回転規制部材３２２ｂにより押されてＯＮになる。よって、電源３３６ｂからの電流がスイッチ３３４ｂに流れる。これにより、回転方向検出部１２は、スイッチ３３４ｂがＯＮであることを検出し、第一本体１００は時計回りに回転することを検出する。
【００５５】
この検出結果は、情報処理制御部２０に与えられる。情報処理制御部２０は、この検出結果に基づき（表１参照）、情報処理部３０に情報処理を遂行させる。情報処理部３０は、日本語アプリケーション記録部４２から（アプリケーション）プログラムを読み出して実行する。また、仕事用アドレス記録部４６からアドレスを読み出して表示させる。
【００５６】
また、携帯電話１を閉じた状態から、携帯電話１の利用者が第一回転規制部材３２２ａおよび第一回転規制部材３２２ｂの双方とも押し下げない。すると、図４に示すように、第一回転規制部材３２２ａおよび第一回転規制部材３２２ｂの双方ともが第二回転規制部材３３２と接しないので、第一本体１００は時計回りおよび反時計回りの双方に回転することができる。
【００５７】
このとき、スイッチ３３４ａ、３３４ｂの双方ともＯＦＦになる。よって、電源３３６ａからの電流がスイッチ３３４ａに流れない。しかも、電源３３６ｂからの電流がスイッチ３３４ｂに流れない。これにより、回転方向検出部１２は、スイッチ３３４ａ、３３４ｂの双方ともＯＦＦであることを検出し、第一本体１００は時計回りおよび反時計回りの双方に回転することを検出する。
【００５８】
この検出結果は、情報処理制御部２０に与えられる。情報処理制御部２０は、この検出結果に基づき（表１参照）、情報処理部３０に情報処理を遂行させる。情報処理部３０は、英語アプリケーション記録部４４から（アプリケーション）プログラムを読み出して実行する。また、仕事用アドレス記録部４６および私用アドレス記録部４８のいずれからもアドレスを読み出さない。
【００５９】
本発明の実施形態によれば、第一本体１００が第二本体２００に対してどのような方向に回転できるかを、第一回転規制部材３２２ａおよび第一回転規制部材３２２ｂの押し下げにより設定できる。
【００６０】
しかも、設定された回転方向によって、日本語アプリケーションあるいは英語アプリケーションの選択を行うことができる。さらに、電子メールをやりとりする相手の電子メールのアドレスを表示する／しないの選択を行うことができる。
【００６１】
なお、上記の実施形態は、以下のようにして実現できる。ＣＰＵ、ハードディスク、フラッシュメモリ、メディア（フロッピー（登録商標）ディスク、ＣＤ−ＲＯＭ、メモリスティックなど）読み取り装置を備えたコンピュータのメディア読み取り装置に、上記の各部分（例えば、情報処理制御部２０）を実現するプログラムを記録したメディアを読み取らせて、ハードディスク、フラッシュメモリなどにインストールする。このような方法でも、上記の機能を実現できる。
【００６２】
また、回転方向設定部１０の構成を図４〜６を参照して説明したが、回転方向設定部１０の構成はこの例に限らず、他の例も考えられる。図８〜１０は、回転方向設定部１０の変形例を説明するための図である。
【００６３】
図８〜１０に示すように、携帯電話１は、回転軸３１０、第一回転板３２０、第二回転板３３０に加えてさらに、回転軸３１０の付近に、第一電磁石３２４ａ、３２４ｂ、第一回転規制部材３２６ａ、３２６ｂ、第二回転規制部材３３２、第二電磁石３３７ａ、３３７ｂ、電源３３８ａ、３３８ｂを有する。
【００６４】
図８は、携帯電話１の回転軸３１０付近の平面図（図８（ａ））、正面図（図８（ｂ））である（第一回転規制部材３２６ａ、３２６ｂの双方とも下げられていない場合）。図９は、携帯電話１の回転軸３１０付近の平面図（図９（ａ））、正面図（図９（ｂ））である（第一回転規制部材３２６ａが下げられている場合）。図１０は、携帯電話１の回転軸３１０付近の平面図（図１０（ａ））、正面図（図１０（ｂ））である（第一回転規制部材３２６ｂが下げられている場合）。なお、図８〜１０においては、第一本体１００および第二本体２００が重なっている（携帯電話１が閉じている（図２参照））ときの状態を図示している。
【００６５】
第一電磁石３２４ａ、３２４ｂは、上側と下側との極性を反転できる電磁石である。
【００６６】
第一回転規制部材３２６ａ、３２６ｂは、第一回転板３２０に対して、上下への移動が可能なように、第一回転板３２０の周辺に取りつけられている。第一本体１００が回転軸３１０を中心に回転すれば、第一回転板３２０もまた回転軸３１０を中心に回転し、第一回転規制部材３２６ａ、３２６ｂも第一回転板３２０と共に回転する。なお、第一回転規制部材３２６ａ、３２６ｂは永久磁石であり、上側がＳ極、下側がＮ極である。
【００６７】
第二回転規制部材３３２は、第二回転板３３０に固定されている。
【００６８】
第二電磁石３３７ａ、３３７ｂは、上側と下側との極性を反転できる電磁石である。なお、第一電磁石３２４ａ、３２４ｂの極性とは逆である。
【００６９】
電源３３８ａは、第一電磁石３２４ａおよび第二電磁石３３７ａに接続され、第一電磁石３２４ａおよび第二電磁石３３７ａに電流を流す。これにより、第一電磁石３２４ａおよび第二電磁石３３７ａの極性を決定する。具体的には、第一電磁石３２４ａの上側をＳ極、下側をＮ極とし、第二電磁石３３７ａの上側をＮ極、下側をＳ極とする。あるいは、第一電磁石３２４ａの上側をＮ極、下側をＳ極とし、第二電磁石３３７ａの上側をＳ極、下側をＮ極とする。
【００７０】
電源３３８ｂは、第一電磁石３２４ｂおよび第二電磁石３３７ｂに接続され、第一電磁石３２４ｂおよび第二電磁石３３７ｂに電流を流す。これにより、第一電磁石３２４ｂおよび第二電磁石３３７ｂの極性を決定する。具体的には、第一電磁石３２４ｂの上側をＳ極、下側をＮ極とし、第二電磁石３３７ｂの上側をＮ極、下側をＳ極とする。あるいは、第一電磁石３２４ｂの上側をＮ極、下側をＳ極とし、第二電磁石３３７ｂの上側をＳ極、下側をＮ極とする。極性は、回転方向検出部１２に与えられる。
【００７１】
なお、第一本体１００および第二本体２００が重なっている状態で、第一電磁石３２４ａの上側をＮ極、下側をＳ極とし、第二電磁石３３７ａの上側をＳ極、下側をＮ極とする。さらに、第一電磁石３２４ｂの上側をＳ極、下側をＮ極とし、第二電磁石３３７ｂの上側をＮ極、下側をＳ極とする。すると、図９に示すように、第一回転規制部材３２６ａは第二回転規制部材３３２と接し、第一回転規制部材３２６ｂは第二回転規制部材３３２と接しない。
【００７２】
図９に示すような状態では、第一本体１００は反時計回りに回転することができるが、時計回りに回転することはできない。時計回りに回転しようとした場合は、第一回転規制部材３２６ａが第二回転規制部材３３２にぶつかってしまうからである。
【００７３】
また、第一本体１００および第二本体２００が重なっている状態で、第一電磁石３２４ａの上側をＳ極、下側をＮ極とし、第二電磁石３３７ａの上側をＮ極、下側をＳ極とする。さらに、第一電磁石３２４ｂの上側をＮ極、下側をＳ極とし、第二電磁石３３７ｂの上側をＳ極、下側をＮ極とする。すると、図１０に示すように、第一回転規制部材３２６ｂは第二回転規制部材３３２と接し、第一回転規制部材３２６ａは第二回転規制部材３３２と接しない。
【００７４】
図１０に示すような状態では、第一本体１００は時計回りに回転することができるが、反時計回りに回転することはできない。反時計回りに回転しようとした場合は、第一回転規制部材３２２ｂが第二回転規制部材３３２にぶつかってしまうからである。
【００７５】
さらに、第一本体１００および第二本体２００が重なっている状態で、第一電磁石３２４ａの上側をＳ極、下側をＮ極とし、第二電磁石３３７ａの上側をＮ極、下側をＳ極とする。さらに、第一電磁石３２４ｂの上側をＳ極、下側をＮ極とし、第二電磁石３３７ｂの上側をＮ極、下側をＳ極とする。すると、図８に示すように、第一回転規制部材３２６ａおよび第一回転規制部材３２６ｂは第二回転規制部材３３２と接しない。
【図面の簡単な説明】
【００７６】
【図１】本発明の実施形態にかかる携帯電話（携帯通信端末）１を開いた場合の平面図である。
【００７７】
【図２】本発明の実施形態にかかる携帯電話（携帯通信端末）１を閉じた場合の平面図である。
【００７８】
【図３】本発明の実施形態にかかる携帯電話（携帯通信端末）１を閉じた場合の断面図（図２におけるIII−III断面）である。
【００７９】
【図４】携帯電話１の回転軸３１０付近の平面図（図４（ａ））、正面図（図４（ｂ））である（第一回転規制部材３２２ａ、３２２ｂの双方とも押し下げられていない場合）。
【００８０】
【図５】携帯電話１の回転軸３１０付近の平面図（図５（ａ））、正面図（図５（ｂ））である（第一回転規制部材３２２ａが押し下げられている場合）。
【００８１】
【図６】携帯電話１の回転軸３１０付近の平面図（図６（ａ））、正面図（図６（ｂ））である（第一回転規制部材３２２ｂが押し下げられている場合）。
【００８２】
【図７】携帯電話１の構成を示す機能ブロック図である。
【００８３】
【図８】携帯電話１の回転軸３１０付近の平面図（図８（ａ））、正面図（図８（ｂ））である（第一回転規制部材３２６ａ、３２６ｂの双方とも下げられていない場合）。
【００８４】
【図９】携帯電話１の回転軸３１０付近の平面図（図９（ａ））、正面図（図９（ｂ））である（第一回転規制部材３２６ａが下げられている場合）。
【００８５】
【図１０】携帯電話１の回転軸３１０付近の平面図（図１０（ａ））、正面図（図１０（ｂ））である（第一回転規制部材３２６ｂが下げられている場合）。
【符号の説明】
【００８６】
１  携帯電話
１０  回転方向設定部
１２  回転方向検出部
２０  情報処理制御部
３０  情報処理部
３２０  第一回転板
３３０  第二回転板
３２２ａ、３２２ｂ  第一回転規制部材
３３２  第二回転規制部材
３３４ａ、３３４ｂ  スイッチ
３３６ａ、３３６ｂ  電源
【図１】
2005236401.tif 000004
【図２】
2005236401.tif 000005
【図３】
2005236401.tif 000006
【図４】
2005236401.tif 000007
【図５】
2005236401.tif 000008
【図６】
2005236401.tif 000009
【図７】
2005236401.tif 000010
【図８】
2005236401.tif 000011
【図９】
2005236401.tif 000012
【図１０】
2005236401.tif 000013